Podtech/llm-jp-corpus-v4-ja_patent huggingface dataset:
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
入力デバイスに依存する色空間で示される入力データをデバイスに依存しない色空間で示されるデータに変換する入力変換手段と、
前記入力データの属性を判定し、該判定の結果を色域圧縮手段および出力変換手段に伝達する判定手段と、
前記判定の結果に基づき、前記デバイスに依存しない色空間で示されるデータを出力デバイスの色域情報に応じた色域圧縮を行う前記色域圧縮手段と、
前記判定の結果に基づき、前記色域圧縮されたデータを、前記出力デバイスに依存する色空間で示される出力データへ変換する前記出力変換手段とを有し、
前記属性は、１次色または２次色についての識別情報であることを特徴とする色処理装置。
【請求項２】
前記１次色または前記２次色は、イエローやシアン、マゼンタ、レッド、グリーン、ブルーの少なくとも１つであることを特徴とする請求項１記載の色処理装置。
【請求項３】
前記判定手段は、前記色域圧縮手段から前記判定すべき色の情報を入力することを特徴とする請求項１記載の色処理装置。
【請求項４】
前記出力デバイスの色域情報は、前記出力デバイスの色域の境界情報であり、
前記出力変換手段を用いて、前記出力デバイスの色域の境界情報を生成する生成手段を有することを特徴とする請求項１または２記載の色処理装置。
【請求項５】
前記色域圧縮手段は、前記判定の結果を更新し、前記出力変換手段に伝達することを特徴とする請求項１記載の色処理装置。
【請求項６】
コンピュータを、請求項１乃至５のいずれか一項に記載の色処理装置の各手段として機能させることを特徴とするプログラム。
【請求項７】
入力デバイスに依存する色空間で示される入力データをデバイスに依存しない色空間で示されるデータに変換する入力変換工程と、
前記入力データの属性を判定し、該判定の結果を色域圧縮工程および出力変換工程に伝達する判定工程と、
前記判定の結果に基づき、前記デバイスに依存しない色空間で示されるデータを出力デバイスの色域情報に応じた色域圧縮を行う前記色域圧縮工程と、
前記判定の結果に基づき、前記色域圧縮されたデータを、前記出力デバイスに依存する色空間で示される出力データへ変換する前記出力変換工程とを有し、
前記属性は、１次色または２次色についての識別情報であることを特徴とする色処理方法。
【手続補正２】
【補正対象書類名】明細書
【補正対象項目名】００１２
【補正方法】変更
【補正の内容】
【００１２】
上記目的を達成するために、本発明に係る色処理装置は、入力デバイスに依存する色空間で示される入力データをデバイスに依存しない色空間で示されるデータに変換する入力変換手段と、前記入力データの属性を判定し、該判定の結果を色域圧縮手段および出力変換手段に伝達する判定手段と、前記判定の結果に基づき、前記デバイスに依存しない色空間で示されるデータを出力デバイスの色域情報に応じた色域圧縮を行う前記色域圧縮手段と、前記判定の結果に基づき、前記色域圧縮されたデータを、前記出力デバイスに依存する色空間で示される出力データへ変換する前記出力変換手段とを有し、前記属性は、１次色または２次色に付いての識別情報であることを特徴とする。
上記目的を達成するために、本発明に係る色処理方法は、入力デバイスに依存する色空間で示される入力データをデバイスに依存しない色空間で示されるデータに変換する入力変換工程と、前記入力データの属性を判定し、該判定の結果を色域圧縮工程および出力変換工程に伝達する判定工程と、前記判定の結果に基づき、前記デバイスに依存しない色空間で示されるデータを出力デバイスの色域情報に応じた色域圧縮を行う前記色域圧縮工程と、前記判定の結果に基づき、前記色域圧縮されたデータを、前記出力デバイスに依存する色空間で示される出力データへ変換する前記出力変換工程とを有し、前記属性は、１次色または２次色についての識別情報であることを特徴とする色処理方法。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
金属層からなる周波数調整部が形成された振動腕を有する圧電振動片と、
前記圧電振動片が固定される底部と、前記底部を囲む枠壁部と、を含み、前記底部の上方に開口を有するパッケージと、
前記底部及び前記枠壁部とオーバーラップして前記パッケージの前記開口を塞いで気密封止する、光透過性を有する蓋と、
前記枠壁部の上端面と前記蓋との間に形成されてなるロウ材層と、
前記ロウ材層と前記蓋との間に形成されてなる、積層された複数の金属膜と、
を有し、
前記複数の金属膜は、
第１の金属からなり、前記蓋に直接形成された第１の金属膜と、
第２の金属からなり、前記ロウ材層に直接形成された第２の金属膜と、
前記第１及び第２の金属膜の間に位置し、第３の金属からなるバリア膜と、
を含み、
前記第１の金属膜は、前記蓋の、前記枠壁部との対向領域から前記底部との対向領域に至るまで形成され、前記内部空間に露出しており、
前記第１の金属膜は、前記蓋の、前記振動腕の前記周波数調整部との対向領域を避けて形成され、
前記蓋は、ガラス又はセラミックスからなり、
前記第１の金属は、前記蓋がガラスからなる場合はＴｉであり、前記蓋がセラミックスからなる場合はＭｏ又はＷであり、
前記第２の金属は、Ａｕであり、
前記第３の金属は、Ｎｉであり、
前記ロウ材層は、ＡｕＧｅ、ＡｕＳｉ、及びＡｇろうのいずれかであり、
前記枠壁部の前記上端面は、Ａｕからなる
圧電振動子。
【請求項２】
底部と前記底部を囲む枠壁部とを含み前記底部の上方に開口を有するパッケージの前記底部に圧電振動片を固定する工程と、
光透過性を有し、複数の金属膜が積層形成されてなる蓋を、前記複数の金属膜が前記パッケージを向くように配置し、前記複数の金属膜と前記枠壁部の間にロウ材を配置する工程と、
前記蓋によって、前記パッケージの前記開口を塞いで、気密封止する工程と、
を含み、
前記気密封止は、前記ロウ材を使用する、ろう接合を含み、
前記複数の金属膜は、
第１の金属からなり、前記蓋に直接形成された第１の金属膜と、
第２の金属からなり、前記ロウ材に接触する第２の金属膜と、
前記第１及び第２の金属膜の間に位置し、第３の金属からなるバリア膜と、
を含み、
前記第１の金属膜は、前記蓋の、前記枠壁部との対向領域から前記底部との対向領域に至るまで形成され、前記内部空間に露出しており、
前記第１の金属膜は、前記蓋の、前記振動腕の前記周波数調整部との対向領域を避けて形成され、
前記蓋は、ガラス又はセラミックスからなり、
前記第１の金属は、前記蓋がガラスからなる場合はＴｉであり、前記蓋がセラミックスからなる場合はＭｏ又はＷであり、
前記第２の金属は、Ａｕであり、
前記第３の金属は、Ｎｉであり、
前記ロウ材層は、ＡｕＧｅ、ＡｕＳｉ、及びＡｇろうのいずれかであり、
前記枠壁部の上端面は、Ａｕからなる
圧電振動子の製造方法。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
監視対象エリアを撮像した映像データを受信する映像受信手段と、
前記受信された映像データを記録する記録装置と、
前記監視対象エリアにおけるイベントの発生を表すアラーム信号を受信するアラーム受信手段と、
前記受信された映像データを連続して前記記録装置に記録する連続記録モード、及び前記アラーム信号が受信された期間に前記受信された映像データを前記記録装置に記録するアラーム記録モードを備え、いずれかのモードを選択する記録手段と、
前記アラーム信号の受信頻度を算出する算出手段と、
前記算出された受信頻度と予め決められた閾値とを比較する比較手段と、
前記記録手段において前記アラーム記録モードが選択されている際に、前記比較手段により算出された受信頻度が閾値より高いと判定された場合に、前記記録手段を前記連続記録モードに切り替える切替手段と
を具備することを特徴とする映像記録装置。
【請求項２】
請求項１に記載の映像記録装置において、
前記記録手段において前記連続記録モードが選択されている際に、
前記算出手段は前記アラーム信号の受信頻度の算出を継続し、
前記比較手段は前記算出された受信頻度と予め決められた第２の閾値とを比較し、
前記切替手段は前記比較手段により算出された受信頻度が第２閾値より低いと判定された場合に、前記記録手段を前記アラーム記録モードに切り替えることを特徴とする映像記録装置。
【誤訳訂正書】
【提出日】平成22年7月12日(2010.7.12)
【誤訳訂正１】
【訂正対象書類名】特許請求の範囲
【訂正対象項目名】全文
【訂正方法】変更
【訂正の内容】
【特許請求の範囲】
【請求項１】
予め定められた言語の音素単位セットを最適化する方法であって、コンピュータに、
コンピュータ読出可能なフォーマットで基本単位セットを準備するステップと、
前記基本単位セットにリーブ・ワン・アウト法を適用することによって複数個の基本単位サブセットを生成するステップと、
前記基本単位サブセットの各々について言語的識別力の所定の尺度を計算するステップと、
前記基本単位セットを、前記基本単位サブセットのうち最も高い言語的識別力を備えたもので置換えるステップと、
前記生成するステップ、計算するステップ、及び置換えるステップを、所定の基準が満たされるまで繰返すステップとを実行させる、予め定められた言語の音素単位セットを最適化する方法。
【請求項２】
前記計算するステップが、前記基本単位セットと、前記基本単位サブセットの各々との間の相互情報量を計算するステップを含む、請求項１に記載の方法。
【請求項３】
前記置換えるステップが、前記基本単位セットを、前記基本単位サブセットのうち前記計算するステップで計算された相互情報量の最も高い値を有するもので置換えるステップを含む、請求項２に記載の方法。
【請求項４】
前記基本単位セットは前記予め定められた言語のための基本音素セットである、請求項１〜請求項３のいずれかに記載の方法。
【請求項５】
予め定められた言語の単位セットを最適化するシステムであって、
基本単位セットをコンピュータ読出可能なフォーマットで記憶するための記憶手段と、
前記基本単位セットにリーブ・ワン・アウト法を適用することによって複数個の基本単位サブセットを生成するための生成手段と、
前記基本単位サブセットの各々について言語的識別力の所定の尺度を計算するための計算手段と、
前記記憶手段に記憶された前記基本単位セットを、最も高い言語的識別力を有する基本単位サブセットで置換えるための置換手段と、
前記記憶手段、生成手段、計算手段及び置換手段を、所定の基準が満たされるまで繰返し動作するよう制御するための制御手段とを含む、システム。
【誤訳訂正２】
【訂正対象書類名】明細書
【訂正対象項目名】００１６
【訂正方法】変更
【訂正の内容】
【００１６】
好ましくは、計算するステップは、基本単位セットと、基本単位サブセットの各々との間の相互情報量を計算するステップを含む。
【誤訳訂正３】
【訂正対象書類名】明細書
【訂正対象項目名】００１７
【訂正方法】変更
【訂正の内容】
【００１７】
より好ましくは、置換えるステップは、基本単位セットを、基本単位サブセットのうち計算するステップで計算された相互情報量の最も高い値を有するもので置換えるステップを含む。
【誤訳訂正４】
【訂正対象書類名】明細書
【訂正対象項目名】００２２
【訂正方法】変更
【訂正の内容】
【００２２】
この実施例では、最大相互情報量（Ｍｕｔｕａｌ  Ｉｎｆｏｒｍａｔｉｏｎ：ＭＩ）基準に基づく音素セット設計を採用する。すなわち、ＭＩを基本単位サブセットの言語的識別力の尺度として用いる。この実施例は中国語の最適化された音素セットを設計することに関するものである。
【誤訳訂正５】
【訂正対象書類名】明細書
【訂正対象項目名】００３２
【訂正方法】変更
【訂正の内容】
【００３２】
音素セット最適化モジュール９６は、コンピュータ上で実行されるソフトウェアで実現可能である。ソフトウェアの制御の流れを図４のフロー図で示す。図４を参照して、音素セット最適化モジュール９６は以下のステップを実行する。初期音素セットΦ０（すなわち基本単位セット９０）で作業中の音素セットΦを置換える（ステップ１００）。音素サブセットΦｉ（ｉ＝１からΦの要素数まで；Φｉ＝Φ−｛ｅｉ｝；ｅｉはΦ中のｉ番目の音素）を生成する（ステップ１０２）。作業中のセットΦとサブセットΦｉの各々との間の相互情報量ＭＩｉを計算する（ステップ１０４）。以下の式を満たす指数Ｍを特定する（ステップ１０６）。
【誤訳訂正６】
【訂正対象書類名】明細書
【訂正対象項目名】００３５
【訂正方法】変更
【訂正の内容】
【００３５】
予め定められた数だけ繰返したあと、動作は停止する。これに代えて、相互情報量の減少が予め定められたしきい値を超えた場合に動作を停止することもできる。
【誤訳訂正７】
【訂正対象書類名】明細書
【訂正対象項目名】００３７
【訂正方法】変更
【訂正の内容】
【００３７】
ステップ１０４で、作業中のセットΦとサブセットΦ１からΦＮの各々との間の相互情報量ＭＩｉが計算される。ステップ１０６で、相互情報量ＭＩｉ中で対応の相互情報量ＭＩＭを最大にする指数Ｍが選択される。
【誤訳訂正８】
【訂正対象書類名】明細書
【訂正対象項目名】００４２
【訂正方法】変更
【訂正の内容】
【００４２】
図５を参照して、５９の声調なしの単位セットＣ（ボックス１３２で示す）と比較して、元の２０３の声調付きセットは、ビット表現でより高い相互情報量を有する。線１３０で示す削減過程で、同じ５９単位の数を備えて生成された単位セットは、図５の点Ａで示すように、声調なしの単位セットに比べてより高い相互情報量を維持した。言換えれば、生成されたセットＡは、数が同じであるにもかかわらず、伝統的な５９の声調なし単位セットよりも良好な言語的識別力を有する。図５の点Ｂの単位セットは、声調なし単位セットＣとほぼ同じ量の相互情報量を維持しているが、単位数は遥かに少ない。数は４７であり、従ってこれはＣセットより効率が良い。
【誤訳訂正９】
【訂正対象書類名】明細書
【訂正対象項目名】００４３
【訂正方法】変更
【訂正の内容】
【００４３】
上述の通り、この実施例のシステムと方法とは、相互情報量を減じることなく、音素セット中の音素の数をうまく減じることができる。タスクを特定したテキストをトレーニングに用いれば、音素セットはそのタスク用に最適化でき、その音素セットを用いれば、そのタスクについて十分な識別力を有する頑健な音響モデルを得ることができる。また、十分に詳細な識別力を有する言語モデルを提供できる。
【誤訳訂正１０】
【訂正対象書類名】図面
【訂正対象項目名】図５
【訂正方法】変更
【訂正の内容】
【図５】
2006126730.tif 000001
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
易重合性物質を取り扱う装置であって、
装置本体と、該装置本体から突設されたノズルと、該ノズルの開口を封止するラプチャーディスクと、
該ラプチャーディスクを加熱する加熱手段とを具備する、易重合性物質取扱装置。
【請求項２】
前記加熱手段が、前記ラプチャーディスクの易重合性物質非接触面側から前記ラプチャーディスクを加熱空気によって加熱する手段である、請求項１記載の易重合性物質取扱装置。
【請求項３】
前記加熱手段が、開口が前記ラプチャーディスクに向くように途中で曲げられた加熱空気導入管である請求項２に記載の易重合性物質取扱装置。
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
アトルバスタチンヘミカルシウム形態Ｉの調製方法であって、
ａ）アトルバスタチンヘミカルシウムの他のいずれかの形態を、当該他の形態から形態Ｉに転化するのに十分な時間、水中に懸濁させる工程、および
ｂ）当該懸濁液から形態Ｉを回収する工程を含んでなり、
当該他の形態が、形態Ｖ、形態VII、形態VIII、形態IX及び形態Ｘから選択される、方法。
【請求項２】
工程ａ）で使用されるアトルバスタチンヘミカルシウムの当該他の形態が、形態Ｖである、請求項１記載の方法。
【請求項３】
工程ａ）の懸濁が室温から１００℃で実施される、請求項１又は請求項２に記載の方法。
【請求項４】
工程ａ）の懸濁が３時間から２５時間実施される、請求項１〜３の何れか一項に記載の方法。
【手続補正書】
【提出日】平成22年4月5日(2010.4.5)
【手続補正１】
【補正対象書類名】明細書
【補正対象項目名】０００５
【補正方法】変更
【補正の内容】
【０００５】
【特許文献１】米国特許第４，２８９，８７２号明細書
【特許文献２】米国特許第４，５８７，３２９号明細書
【特許文献３】米国特許第４，４１０，６８８号明細書
【特許文献４】国際特許公開  ＷＯ  ９５／２４２２１号公報
【特許文献５】特表２００２−５２４５２３号公報
【特許文献６】特表２００２−５２４５２４号公報
【特許文献７】特表２００２−５３８１８６号公報
【特許文献８】特表２００６−５１７３８２号公報
【非特許文献１】Timothy L Foley and Michael D Burkart, advances and applications Current Opinion in Chemical Biology, 2007, 11:12-19
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
プラットホームの軌道側縁部に沿って所定の間隔を置いて配置され、プラットホーム上に立設される複数の戸袋パネルと、前記戸袋パネルに支持され、前記戸袋パネルの戸先側に位置する乗降通路を閉じる閉じ位置と前記乗降通路を開放する開き位置との間をドア開閉用機器によって駆動されて往復動する引戸式のドアパネルと、隣り合う前記戸袋パネルの戸尻側端部同士を繋ぐ仕切りパネルとを備えたプラットホームドア装置において、
前記戸袋パネルのドア開閉方向の幅が前記ドアパネルのドア開閉方向の幅よりも小さく、前記閉じ位置で前記ドアパネルの戸尻が前記戸袋パネル内に入り込む一方、前記開き位置で前記ドアパネルの戸尻が前記戸袋パネルの戸尻側端部からこの戸袋パネルの外部へ突出するように構成され、
前記仕切りパネルが前記戸袋パネルの戸尻側端部に設けられた支軸を中心に回動する非常脱出ドアとして構成されていることを特徴とするプラットホームドア装置。
【請求項２】
前記仕切りパネルは、前記ドアパネルの戸尻が戸袋パネル内に入り込んでいるときにホーム側に回動可能となることを特徴とする請求項１に記載のプラットホームドア装置。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
発泡体を形成する発泡樹脂と粘着性を有する粘着樹脂とが混合した発泡層を有する粘着シート。
【請求項２】
前記発泡層の表面に、前記粘着樹脂と同系素材である同系樹脂が付着している、請求項１に記載の粘着シート。
【請求項３】
前記発泡層の表面に、吸着力を有する複数の表面気泡を有し、
前記複数の表面気泡の少なくとも一部には、前記同系樹脂が付着している、請求項１又は請求項２に記載の粘着シート。
【請求項４】
前記発泡層の内部には、複数の内部気泡を有し、
前記複数の内部気泡の少なくとも一部には、前記同系樹脂が浸透している、請求項１から請求項３のうちの一項に記載の粘着シート。
【請求項５】
前記粘着樹脂は、アクリル系樹脂であり、
前記同系樹脂は、水溶性アクリル系樹脂である、請求項１から請求項４のうちの一項に記載の粘着シート。
【請求項６】
発泡体が形成される被発泡樹脂に発泡剤と粘着性を有する粘着樹脂とを加える工程と、
前記被発泡樹脂を発泡することで、発泡体を形成する発泡樹脂と前記粘着樹脂とが混合した発泡層を形成する工程と
を包含する、粘着シート製造方法。

【手続補正２】
【補正対象書類名】明細書
【補正対象項目名】００１６
【補正方法】変更
【補正の内容】
【００１６】
また、発泡層を表面に気泡が露出されて吸着力を発揮する吸着孔を有するものとすれば、その吸着孔の吸着力を利用できる分、粘着性樹脂塗工量を少なくして糊残りを極力抑えつつ、吸着貼り付け強度を高めることができる。さらに、粘着性樹脂を発泡層の表面及び／又は吸着孔の壁面に浸透塗布すれば、吸着孔を塞がないので、その吸着力を損なうことがなく、粘着性樹脂によって粘着性能を高める分、吸着貼り付け強度を高めることができる。また、本発明は、上記の粘着シートの発泡層の表面に塗布する粘着性樹脂又はその粘着性樹脂の希釈液を提供する。
また、本発明による粘着シートは、発泡体を形成する発泡樹脂と粘着性を有する粘着樹脂とが混合した発泡層を有する。
ある実施形態において、前記発泡層の表面に、前記粘着樹脂と同系素材である同系樹脂が付着し得る。
ある実施形態において、前記発泡層の表面に、吸着力を有する複数の表面気泡を有し、前記複数の表面気泡の少なくとも一部には、前記同系樹脂が付着し得る。
ある実施形態において、前記発泡層の内部には、複数の内部気泡を有し、前記複数の内部気泡の少なくとも一部には、前記同系樹脂が浸透し得る。
ある実施形態において、前記粘着樹脂は、アクリル系樹脂であり、前記同系樹脂は、水溶性アクリル系樹脂であり得る。
また、本発明による粘着シート製造方法は、発泡体が形成される被発泡樹脂に発泡剤と粘着性を有する粘着樹脂とを加える工程と、前記被発泡樹脂を発泡することで、発泡体を形成する発泡樹脂と前記粘着樹脂とが混合した発泡層を形成する工程とを包含する。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
生分解性樹脂を含有する樹脂組成物で構成された機械部品において、前記生分解性樹脂を、２−ピロリドンをポリカルボン酸誘導体とともに重合して得られるポリアミド４誘導体としたことを特徴とする機械部品。
【請求項２】
操舵補助出力発生用電動モータの回転軸に連結するウォームと、該ウォームに噛み合うウォームホイールと、で構成され、前記ウォームホイールは、外周面にギヤ歯が形成された樹脂部を金属製の芯管の外周に一体的に設けたものである電動パワーステアリング装置用減速ギヤにおいて、
前記ウォームホイールの樹脂部及び前記ウォームの少なくとも一方を、２−ピロリドンをポリカルボン酸誘導体とともに重合して得られるポリアミド４誘導体を含有する樹脂組成物で構成したことを特徴とする電動パワーステアリング装置用減速ギヤ。
【請求項３】
転がり軸受と、該転がり軸受の外輪の外周面に一体的に取り付けられた樹脂部と、からなり、前記樹脂部の外周面が駆動用ベルトのベルト案内面をなす樹脂製プーリにおいて、前記樹脂部を、２−ピロリドンをポリカルボン酸誘導体とともに重合して得られるポリアミド４誘導体を含有する樹脂組成物で構成したことを特徴とする樹脂製プーリ。
【請求項４】
内輪と、外輪と、前記内輪及び前記外輪の間に転動自在に配された複数の転動体と、前記内輪及び前記外輪の間に前記転動体を保持する保持器と、を備える転がり軸受において、前記内輪，前記外輪，前記転動体，及び前記保持器のうち少なくとも前記保持器を、２−ピロリドンをポリカルボン酸誘導体とともに重合して得られるポリアミド４誘導体を含有する樹脂組成物で構成したことを特徴とする転がり軸受。
【請求項５】
軸方向に延びる転動体転動溝が外面に形成された案内レールと、
該案内レールの転動体転動溝に対向する負荷転動体転動溝を有するとともに軸方向に相対移動可能に前記案内レールに取り付けられたスライダと、
前記案内レールの転動体転動溝と前記スライダの負荷転動体転動溝とで形成された負荷転動体転動路に転動自在に装填された多数の転動体と、
前記負荷転動体転動路とこれに平行する貫通孔からなる転動体戻し路とが形成されたスライダ本体の軸方向の両端部に着脱可能に固着されて前記スライダを構成し、前記負荷転動体転動路と前記転動体戻し路とを連通する湾曲路が形成されたエンドキャップと、
前記エンドキャップの前記スライダ本体との接合面に嵌合されて、その外面と前記エンドキャップとの間で前記湾曲路を形成するリターンガイドと、
前記転動体の脱落を防止する保持器と、
を備える直動案内軸受装置において、
前記案内レール，前記スライダ本体，前記転動体，前記エンドキャップ，前記リターンガイド，及び前記保持器のうち少なくとも一つを、２−ピロリドンをポリカルボン酸誘導体とともに重合して得られるポリアミド４誘導体を含有する樹脂組成物で構成したことを特徴とする直動案内軸受装置。
【手続補正２】
【補正対象書類名】明細書
【補正対象項目名】０００６
【補正方法】変更
【補正の内容】
【０００６】
前記課題を解決するため、本発明は次のような構成からなる。すなわち、本発明に係る機械部品は、生分解性樹脂を含有する樹脂組成物で構成された機械部品において、前記生分解性樹脂を、２−ピロリドンをポリカルボン酸誘導体とともに重合して得られるポリアミド４誘導体としたことを特徴とする。
また、本発明に係る転がり軸受は、内輪と、外輪と、前記内輪及び前記外輪の間に転動自在に配された複数の転動体と、前記内輪及び前記外輪の間に前記転動体を保持する保持器と、を備える転がり軸受において、前記内輪，前記外輪，前記転動体，及び前記保持器のうち少なくとも前記保持器を、２−ピロリドンをポリカルボン酸誘導体とともに重合して得られるポリアミド４誘導体を含有する樹脂組成物で構成したことを特徴とする。
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
パルプスラリーにカチオン性合成紙力剤を添加し、次いでアニオン性微粒子を混合した澱粉粒子からなる天然紙力剤をスラリーの状態で添加することを特徴とする製紙方法。
【請求項２】
天然紙力剤の組成が、澱粉／アニオン性微粒子の混合比率として９９．９５／０．０５〜８０／２０であることを特徴とする請求項１記載の製紙方法。
【請求項３】
天然紙力剤を原料パルプ固形分当たり澱粉分として０．２〜１５質量％添加することを特徴とする請求項１または２記載の製紙方法。
【請求項４】
天然紙力剤を構成する澱粉が０．００１ｍｅｑ／ｇ以上のネットカチオン電荷密度を示すものである請求項１から３のいずれか１項に記載の製紙方法。
【請求項５】
天然紙力剤を構成する澱粉が、固形分８％濃度の糊液で、５０℃、６０ｒｐｍにおいて５〜５０００ｍＰａ・ｓのＢ型粘度を有するものである請求項１から４のいずれか１項に記載の製紙方法。
【請求項６】
天然紙力剤を構成するアニオン性微粒子がベントナイトであることを特徴とする請求項１から５のいずれか１項に記載の製紙方法。
【請求項７】
合成紙力剤の添加量が原料パルプ固形分当たり０．０５〜１．０質量％であることを特徴とする請求項１から６のいずれか１項に記載の製紙方法。
【請求項８】
天然紙力剤が混合チェストからファンポンプまでの間の少なくとも１箇所で添加されることを特徴とする請求項１から７のいずれか１項に記載の製紙方法。
【請求項９】
天然紙力剤がファンポンプからヘッドボックスまでの間の少なくとも１箇所で添加されることを特徴とする請求項１から７のいずれか１項に記載の製紙方法。
【請求項１０】
アニオン性微粒子を澱粉粒子に混合した天然紙力剤であって、それらの混合比率が９９．９５／０．０５〜８０／２０であることを特徴とする天然紙力剤。
【請求項１１】
澱粉が０．００１ｍｅｑ／ｇ以上のネットカチオン電荷密度を示す請求項１０に記載の天然紙力剤。
【請求項１２】
澱粉が固形分８％濃度の糊液で、５０℃、６０ｒｐｍにおいて１０〜５０００ｍＰａ・ｓのＢ型粘度を有する請求項１０または１１記載の天然紙力剤。
【手続補正書】
【提出日】平成22年8月19日(2010.8.19)
【手続補正１】
【補正対象書類名】特許請求の範囲
【補正対象項目名】請求項１
【補正方法】変更
【補正の内容】
【請求項１】
モータにより操舵補助力を生じさせる電動パワーステアリング装置であって、
前記モータを駆動する、効率ηの駆動回路と、
前記モータに電力を供給する主電源としてのバッテリと、
前記モータに電力を供給することが可能な補助電源と、
前記主電源の電圧ＶＢを検出する電圧検出器と、
前記補助電源の電圧ＶＣを検出する電圧検出器と、
前記主電源に基づいて前記補助電源の充電を行うとともに、前記主電源の電圧ＶＢにより前記モータへ電力を供給する第１の出力状態と、前記主電源に対して直列に前記補助電源が接続された状態で電圧ＶＢ＋ＶＣにより前記モータへ電力を供給する第２の出力状態とを選択的に構成する充放電回路と、
操舵補助に必要な電力に応じて前記モータに電力を供給し、前記充放電回路の出力状態を選択する制御回路とを備え、
前記制御回路は、前記主電源に流れる最大電流値として予め設定された上限値ＩＢに基づいて、前記第１の出力状態が選択されているときはそのときの検出電圧ＶＢと前記上限値ＩＢとから前記モータに供給する電力の上限値をη・ＶＢ・ＩＢに設定し、前記第２の出力状態が選択されているときはそのときの検出電圧ＶＢ，ＶＣと前記上限値ＩＢとから前記モータに供給する電力の上限値をη・（ＶＢ＋ＶＣ）・ＩＢに設定することで、前記第１の出力状態及び第２の出力状態のいずれの状態においても前記主電源から引き出される最大電流値を前記上限値ＩＢ以下に制限することを特徴とする電動パワーステアリング装置。
【手続補正２】
【補正対象書類名】明細書
【補正対象項目名】０００５
【補正方法】変更
【補正の内容】
【０００５】
本発明は、モータにより操舵補助力を生じさせる電動パワーステアリング装置であって、前記モータを駆動する、効率ηの駆動回路と、前記モータに電力を供給する主電源としてのバッテリと、前記モータに電力を供給することが可能な補助電源と、前記主電源の電圧ＶＢを検出する電圧検出器と、前記補助電源の電圧ＶＣを検出する電圧検出器と、前記主電源に基づいて前記補助電源の充電を行うとともに、前記主電源の電圧ＶＢにより前記モータへ電力を供給する第１の出力状態と、前記主電源に対して直列に前記補助電源が接続された状態で電圧ＶＢ＋ＶＣにより前記モータへ電力を供給する第２の出力状態とを選択的に構成する充放電回路と、操舵補助に必要な電力に応じて前記モータに電力を供給し、前記充放電回路の出力状態を選択する制御回路とを備え、前記制御回路は、前記主電源に流れる最大電流値として予め設定された上限値ＩＢに基づいて、前記第１の出力状態が選択されているときはそのときの検出電圧ＶＢと前記上限値ＩＢとから前記モータに供給する電力の上限値をη・ＶＢ・ＩＢに設定し、前記第２の出力状態が選択されているときはそのときの検出電圧ＶＢ，ＶＣと前記上限値ＩＢとから前記モータに供給する電力の上限値をη・（ＶＢ＋ＶＣ）・ＩＢに設定することで、前記第１の出力状態及び第２の出力状態のいずれの状態においても前記主電源から引き出される最大電流値を前記上限値ＩＢ以下に制限することを特徴とするものである。
【手続補正３】
【補正対象書類名】明細書
【補正対象項目名】０００６
【補正方法】変更
【補正の内容】
【０００６】
上記のように構成された電動パワーステアリング装置では、主電源に流れる最大電流値として予め設定された上限値ＩＢ（固定値）並びに、そのときの主電源の検出電圧ＶＢ（変数）及び補助電源の検出電圧ＶＣ（変数）に基づいて、出力状態に応じた電力の上限値（変数）が設定される。主電源の検出電圧ＶＢ及び補助電源の検出電圧ＶＣが変動すれば電力の上限値もそれに合わせて変動することになるので、主電源に流れる最大電流値は、常に、上限値ＩＢ以下に制限される。
【手続補正書】
【提出日】平成22年9月16日(2010.9.16)
【手続補正１】
【補正対象書類名】明細書
【補正対象項目名】００４３
【補正方法】変更
【補正の内容】
【００４３】
なお、前部カバー４の材質、形状、および取り付け方法は、上記に限られない。材質は、ある程度の強度を有するものであれば、他の樹脂であってもよいし、アルミや鉄などの金属であってもよい。形状は、運搬カートＳの内部が外部から見えなければ、左開閉カバー５、右開閉カバー６および上部開閉カバー７の開閉の妨げとならない範囲で自由に設計可能である。取り付け方法は、前部カバー４をカート本体Ａに固定可能であればよく、着脱可能な取り付け方法でもよい。また、前部カバー４の左右の一方にカート本体Ａとの間で蝶番構造などを設けて、カバー４を開閉カバーとして開閉回動可能に取り付けてもよい。
【手続補正２】
【補正対象書類名】明細書
【補正対象項目名】００５９
【補正方法】変更
【補正の内容】
【００５９】
図８は、長尺物固定部材１９で長尺物を固定する方法を説明するための図である。モップＣなどの長尺物をカート本体Ａに保持させる場合、柄をモップ本体と略平行となるように折り曲げ、この折り曲げられたモップＣの先端を左フレーム１に設けられている受け皿１５に載せ、モップ本体および柄を長尺物固定部材１９と横桟部材１４との間に挟むように固定する。
【手続補正３】
【補正対象書類名】明細書
【補正対象項目名】００６２
【補正方法】変更
【補正の内容】
【００６２】
図９は、長尺物固定部材２９で長尺物を固定する方法を説明するための図である。長尺物固定部材２９は、同図に示すように、それぞれ固定ゴム２９ｃが取り付けられた２つの固定部２９ｂと、この２つの固定部２９ｂが取り付けられた横桟部材２９ａから成る。固定部２９ｂは上面視Ｕ字状であり、その内側部分は通常のほうき等の柄の直径より大きく成形されている。固定ゴム２９ｃは、両端部が固定部２９ｂの両端部に固着され、その内側面（図９において、手前側の面）には複数の凸状部分が上下方向に形成されている。ほうきＤなどの長尺物をカート本体Ａに保持させる場合、ほうきＤの本体部分を右フレーム２に設けられている受け皿２５に載せ、ほうきＤの柄を固定ゴム２９ｃに押し当てて、固定部２９ｂに挟んで固定する。ほうきＤの柄は、固定ゴム２９ｃに設けられている上下方向の凸状部分により固定される。
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
シートを排出するための排出手段と、
前記排出手段により排出されたシートを積載し、移動する積載部と、
前記排出手段により前記積載部へ排出されるシートの上面をガイドするガイド手段と、
を有し、
前記ガイド手段は、前記排出手段により排出されるシートの上面をガイドするガイド位置と、前記積載部の移動領域から退避した退避位置とに移動可能であることを特徴とするシート排出装置。
【請求項２】
前記ガイド位置は、排出されるシート情報に応じて前記ガイド位置と前記退避位置との間の異なる位置に設定されることを特徴とする請求項１に記載のシート排出装置。
【請求項３】
前記シート情報は、シートの種類、画像形成モード、画像濃度、使用環境であり、前記ガイド位置は、少なくとも１つのシート情報に応じて前記ガイド位置と前記退避位置との間の異なる位置に設定されることを特徴とする請求項２に記載のシート排出装置。
【請求項４】
前記排出手段は、排出ローラ対により構成され、前記排出ローラ対の一方のローラは移動可能な開閉ガイドに設けられ、前記開閉ガイドの移動により前記一方のローラは他方のローラに対して当接、離間可能であり、
前記ガイド手段は、前記退避位置において前記排出ローラ対の離間により形成される開閉ガイドのシートガイド領域から退避していることを特徴とする請求項１乃至請求項３のいずれか１項に記載のシート排出装置。
【請求項５】
前記ガイド手段は、前記開閉ガイドと別体で構成されていることを特徴とする請求項４記載のシート排出装置。
【請求項６】
前記排出手段のシート排出方向の上流側に配置され、シートを搬送する搬送手段を有し、
前記排出手段は、排出ローラ対により構成され、前記一方のローラは他方のローラに対して当接、離間可能であり、
前記搬送手段により搬送されたシートを、前記搬送手段と前記排出ローラ対の間にある中間処理トレイに積載した後、前記排出ローラ対により積載部に排出する第１排出モードと、
前記搬送手段により搬送されたシートを、前記排出ローラ対により積載部へ排出する第２排出モードと、を有し、
前記ガイド手段は、前記第１排出モードと第２排出モードとで位置が異なることを特徴とする請求項１乃至請求項３のいずれか１項に記載のシート排出装置。
【請求項７】
シートを処理するシート処理手段と、
処理されたシートを排出する請求項１乃至請求項６のいずれか１項に記載のシート排出装置と、
を有することを特徴とするシート処理装置。
【請求項８】
シートに画像を形成する画像形成手段と、
画像形成されたシートを処理するシート処理手段と、
前記シート処理されたシートを排出する請求項１乃至請求項６のいずれか１項に記載のシート排出装置と、
を有することを特徴とする画像形成装置。
【請求項９】
シートに画像を形成する画像形成手段と、
画像形成されたシートを排出する請求項１乃至請求項６のいずれか１項に記載のシート排出装置と、
を有することを特徴とする画像形成装置。
【手続補正２】
【補正対象書類名】明細書
【補正対象項目名】００１２
【補正方法】変更
【補正の内容】
【００１２】
上記課題を解決するための本発明における代表的な手段は、シートを排出するための排出手段と、前記排出手段により排出されたシートを積載し、移動する積載部と、前記排出手段により前記積載部へ排出されるシートの上面をガイドするガイド手段と、を有し、前記ガイド手段は、前記排出手段により排出されるシートの上面をガイドするガイド位置と、前記積載部の移動領域から退避した退避位置とに移動可能であることを特徴とする。
【手続補正３】
【補正対象書類名】明細書
【補正対象項目名】００１３
【補正方法】削除
【補正の内容】
【手続補正書】
【提出日】平成22年9月16日(2010.9.16)
【手続補正１】
【補正対象書類名】明細書
【補正対象項目名】００１１
【補正方法】変更
【補正の内容】
【００１１】
本発明の好ましい実施の形態においては、上記箱状本体は、上記フレームを取り出すための開閉自在の扉を備えている。さらに好ましくは、上記箱状本体は、上記扉を閉じた状態において、上記扉と直交する一対の側面を有しており、上記一対の側面には上記扉に向かって延びる一対のレールが設けられており、上記一対のレールによって上記フレームを支持している。このような構成によれば、上記扉を開き、上記レールに沿って上記フレームを上記箱状本体から引っ張り出すことにより、容易かつ迅速に上記フレームを上記箱状本体から分離することができる。このため、上記ストッパーを容易かつ迅速に洗浄することが可能となる。
【手続補正２】
【補正対象書類名】明細書
【補正対象項目名】００２０
【補正方法】変更
【補正の内容】
【００２０】
図７は、フレーム３０を平面図で示している。フレーム３０は、たとえばステンレス製であり、略矩形状の枠材３１、枠材３１の中央部を横断する棒材３２、棒材３２と直交する方向に延びる４本の支持材３３、所定径の孔部を有する１２個の軸固定板３４、および、ストッパー４０を揺動可能に支持するための４本の支軸３５を備えている。このフレーム３０は、枠材３１の一方の端縁をレール２２２に嵌め込み、他方の端縁をレール２３２に嵌め込むことにより、これらのレール２２２，２３２に保持される。棒材３２は、枠材３１の一方の端縁と他方の端縁とを繋ぐように設けられている。支持材３３は、枠材３１の一方の端縁寄りの位置に１本、他方の端縁寄りの位置に１本、その中間に並ぶように２本設けられている。軸固定板３４は、支軸３５を保持するために枠材３１および棒材３２に設けられている。一本の支軸３５に対して一列に並ぶ３個の軸固定板３４が設けられている。この１本の支軸３５を保持する３個の軸固定板３４のうち２つは枠材３１に設けられており、残りの１つは棒材３２に設けられている。支軸３５は、棒材３２と直交する方向に沿って並ぶ３個の軸固定板３４の孔部に挿通されており、その両端がカシメによって固定されている。本実施形態では、一本の支軸３５が２個のストッパー４０を保持しており、フレーム３０は８個のストッパー４０を保持している。このフレーム３０はレール２２２，２３２の長手方向に沿ってスライド可能となっている。図６には、フレーム３０を扉２４から取り出す様子を図３に示すVI-VI線に沿う断面図で示している。
【手続補正３】
【補正対象書類名】明細書
【補正対象項目名】００２７
【補正方法】変更
【補正の内容】
【００２７】
上記のような使用済容器回収箱Ａに使用済容器Ｃを入れる際には、まず、使用済容器Ｃ内の残汁を残汁回収箱Ｂに捨ててから、使用済容器Ｃを投入口１１１に投入する。図４および図５に示すように、使用済容器Ｃは、たとえば飲み口が上を向くように、順次投入される。飲み口を上にして順次投げ入れられる使用済容器Ｃは、後に投げ入れられたものが、先に投げ入れられたものに入り、筒状ガイド１１内でストッパー４０上に積み重ねられる。筒状ガイド１１内で積み重ねられた使用済容器Ｃがたとえば１０個を越えると、ストッパー４０が傾き、使用済容器Ｃが１０個重なった状態で回収袋５０へ落下して収容される。使用済容器Ｃが落下するとストッパー４０は再び通常の略水平状態に戻り、再び投入口１１１から投げ入れられる使用済容器Ｃの落下を防ぐ。このようにして、回収袋５０には、１０個ごとに纏まった使用済容器Ｃの塊が順次収容される。回収袋５０内に収容される使用済容器Ｃが重なった状態となり、１個当たりが占める容積が小さくなるため、使用済容器Ｃをそのまま回収袋５０に入れる場合に比べてより多くの使用済容器Ｃを回収袋５０内に収容することができる。
【手続補正４】
【補正対象書類名】明細書
【補正対象項目名】００３０
【補正方法】変更
【補正の内容】
【００３０】
さらに本実施形態では、使用済容器回収箱Ａは、上述したように、扉２４を開き、袋用フレーム６０をレール２２３，２３３に沿って引き出すことによって回収袋５０を箱状本体２０から容易に引き出すことができる。このため、回収袋５０が一杯になったときなどに、回収袋５０の取り替えを容易に行うことができる。
【手続補正５】
【補正対象書類名】明細書
【補正対象項目名】００３２
【補正方法】変更
【補正の内容】
【００３２】
またさらに、本実施形態では、支持材３３によってストッパー４０の揺動が制限されており、第１の端部４１１が略水平状態より上方に移動しない。このため、フレーム３０をレール２２２，２３２に沿って移動させる際にストッパー４０と筒状ガイド１１とがぶつかることが無く、スムーズに移動させることができる。
【手続補正６】
【補正対象書類名】明細書
【補正対象項目名】００３５
【補正方法】変更
【補正の内容】
【００３５】
Ａ              使用済容器回収箱
Ｂ              残汁回収箱
Ｃ              使用済容器
１０            天井板
１１            筒状ガイド
１２            天板
１３            外縁部
２０            箱状本体
２１            上部フレーム
２２，２３      側面板
２４            扉
２５            背面板
２６            底面板
２７            キャスター
３０            フレーム
３１            枠材
３２            棒材
３３            支持材
３４            軸固定板
３５            支軸
４０            ストッパー
４１            板状部材
４２            円筒部材
４３            錘
５０            回収袋
６０            袋用フレーム
６１            突起片
１１１          投入口
２２１，２３１  支持部材
２２２，２３２  レール
２２３，２３３  レール
４１１          第１の端部
４１２          第２の端部
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
ドデカヒドロ−３ａ，６，６，９ａ−テトラメチルナフト［２，１−ｂ］フラン、メチルジヒドロジャスモネート、及びシクロペンタデカノリドから選ばれる１種以上の香料を含有する、月経前及び／又は月経中の、身体的及び／又は精神的不快症状の緩和剤であって、前記症状の緩和が揮発した香料の吸入によるものである、月経前及び／又は月経中の、身体的及び／又は精神的不快症状の緩和剤。
【請求項２】
ドデカヒドロ−３ａ，６，６，９ａ−テトラメチルナフト［２，１−ｂ］フラン、メチルジヒドロジャスモネート、及びシクロペンタデカノリドから選ばれる１種以上の香料を担体に担持させたものであって、月経前及び／又は月経中の、身体的及び／又は精神的不快症状を緩和する旨の表示を付した、吸入による月経前及び／又は月経中の、身体的及び／又は精神的不快症状の緩和剤。
【請求項３】
就寝中に吸入するものである請求項１及び／又は２記載の月経前及び／又は月経中の、身体的及び／又は精神的不快症状の緩和剤。
【請求項４】
ドデカヒドロ−３ａ，６，６，９ａ−テトラメチルナフト［２，１−ｂ］フラン、メチルジヒドロジャスモネート、及びシクロペンタデカノリドから選ばれる１種以上の香料を揮発状態で吸入させることによる、月経前及び／又は月経中の、身体的及び／又は精神的不快症状の緩和方法。
【手続補正２】
【補正対象書類名】明細書
【補正対象項目名】０００７
【補正方法】変更
【補正の内容】
【０００７】
また、月経前緊張症、マタニティブルー、更年期障害による不快症状を改善するためにβ−カリオフィレンを吸入させることが開示されているが、さらに高い効果を発現するものが求められていた（特許文献１）。
【手続補正３】
【補正対象書類名】明細書
【補正対象項目名】０００８
【補正方法】変更
【補正の内容】
【０００８】
【非特許文献１】クリスティン・ウェストウッド「最新 アロマテラピーガイドブック」フレグランスジャーナル社、1995年、p.133-141
【非特許文献２】インターナショナル・ジャーナル・オブ・ジネコロジー・アンド・オブステリクス（Int. J. Gynecol. Obstet.）, 2003, 80(2), p.153-7
【特許文献１】特開2004-339191号公報
【手続補正４】
【補正対象書類名】明細書
【補正対象項目名】００１０
【補正方法】変更
【補正の内容】
【００１０】
本発明はドデカヒドロ−３ａ，６，６，９ａ−テトラメチルナフト［２，１−ｂ］フラン、オイゲノール、メチルジヒドロジャスモネート、及びシクロペンタデカノリドから選ばれる１種以上の香料を、揮発状態で、例えば就寝中に吸入することによって月経前及び／又は月経中の、身体的及び／又は精神的不快を緩和するものである。
【手続補正５】
【補正対象書類名】明細書
【補正対象項目名】００１２
【補正方法】変更
【補正の内容】
【００１２】
本発明に使用されるドデカヒドロ−３ａ, ６，６，９ａ−テトラメチルナフト［２，１−ｂ］フランは、α-アンブリノールとともに抹香鯨の体内に生ずる病的分泌物アンバーグリースに含まれている香気成分で、アンバー系調合香料に欠かせない重要化合物である。希釈すると強いアンバー香を発する。ドデカヒドロ−３ａ，６，６，９ａ−テトラメチルナフト［２，１−ｂ］フランは、アンブロキサン（花王）や、セタロックス（フィルメニッヒ）等の商品名で市販されている。
【手続補正６】
【補正対象書類名】明細書
【補正対象項目名】００２２
【補正方法】変更
【補正の内容】
【００２２】
すなわち、ドデカヒドロ−３ａ，６，６，９ａ−テトラメチルナフト［２，１−ｂ］フラン（アンブロキサン使用）、オイゲノール、メチルジヒドロジャスモネート（ＭＤＪ使用）及びシクロペンタデカノリド（ペンタライド使用）を、無香の溶媒であるクエン酸トリエチルで、匂いの強さが一定になるよう、表１に示す濃度に適宜希釈し、蓋付きのプラスティック容器（直径５ｃｍ、高さ３ｃｍ／広口ボトルＭＣ−３０竹本容器）に入れた化粧用コットン１．５ｇに、表１に示す質量で染み込ませ、寝室用芳香剤として被験者に配布し、１ヶ月間使用してもらった。試験開始後、３週間目には香料の揮散分を考慮して新しい芳香剤を使用してもらうこととした。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
カード機における装置であって、フラット針布を備えた少なくとも一個のフラット・バーが存在しており、ストリップ形態の支持要素内に配置されたフラット針布を有する針布要素が前記フラット・バーの支持体に固着されていて、シリンダ針布と対向して位置しており、前記フラット針布の歯先平面とシリンダ針布の歯先円との間の間隔は前記シリンダの回転方向において減少しており、前記フラット針布の前記歯先平面と、最狭幅点における前記シリンダ針布の前記歯先円に対する接線に平行に配置された概念的表面とは、互いに所定角度（β）をなして配置されるというカード機における装置において、
前記針布ストリップ（１６’）の頂面（１６ａ1；１６ｃ1）および前記フラット針布（１６ｂ；１６ｂ1、１６ｂ2、１６ｂ3）の前記歯先平面（２３）は互いに平行には整列されていないことを特徴とする、カード機における装置。
【請求項２】
前記針布要素（１６）の前記頂面（１６ａ1；１６ｃ2）および前記フラット針布（１６ｂ；１６ｂ1、１６ｂ2、１６ｂ3）の前記歯先平面（２３）は互いに角度（α）をなして配置されることを特徴とする、請求項１記載の装置。
【請求項３】
前記針布ストリップ（１６’）の担体要素（１６ａ）は概ね楔状構成であることを特徴とする、請求項１または２に記載の装置。
【請求項４】
前記針布要素（１６）の中間層（１６ｄ）は概ね楔状構成であることを特徴とする、請求項１乃至３のいずれか一項に記載の装置。
【請求項５】
前記針布要素（１６）の頂部要素（１６ｃ）は概ね楔状構成であることを特徴とする、請求項１乃至４のいずれか一項に記載の装置。
【請求項６】
前記針布要素（１６ａ）は、少なくとも一層（１６＊、１６＊＊、１６＊＊＊）が概ね楔状構成であるという少なくとも二層（１６＊、１６＊＊、１６＊＊＊）から成ることを特徴とする、請求項１に記載の装置。
【請求項７】
前記フラット針布（１６ｂ；１６ｂ1、１６ｂ2、１６ｂ3）の前記歯先平面（２３）と、前記シリンダ針布（４ａ）の歯先平面（２２）に対する接線（１９’）に平行に延在する概念的表面（１９”）との間の前記角度（α）は、前記シリンダ（４）の回転方向（４ｂ）において減少することを特徴とする、請求項２に記載の装置。
【請求項８】
前記針布ストリップ（１６’）の前記頂面（１６ａ1）および支持本体（１５）の底面（１５ｃ）は互いに可逆的に着脱可能に結合されることを特徴とする、請求項１乃至７のいずれか一項に記載の装置。
【請求項９】
前記針布要素（１６）の前記頂部要素（１６ｃ）の頂面（１６ｃ2）および磁気要素（１５ｆ）の底面（１５ｆ2）は互いに可逆的に着脱可能に結合されることを特徴とする、請求項５に記載の装置。
【請求項１０】
少なくとも一個の磁気要素（１５ｆ）が、前記支持本体（１５）の前記底面（１５ａ）に組み合わされることを特徴とする、請求項８に記載の装置。
【請求項１１】
フラット・バー（１４）の針布（１６ｂ）は湾曲した歯先平面（２３’）を有することを特徴とする、請求項１乃至１０のいずれか一項に記載の装置。
【請求項１２】
前記針布要素（１６）および前記針布ストリップ（１６’）の幅の一部に亙って非平行な整列部分が夫々延在することを特徴とする、請求項１乃至１１のいずれか一項に記載の装置。
【請求項１３】
前記シリンダの回転方向（４ｂ）において、前記シリンダ（４）の中点（Ｍ）に対して同軸的な一定間隔が、前記非平行な整列部分に隣接することを特徴とする、請求項１乃至１２のいずれか一項に記載の装置。
【請求項１４】
前記フラット針布（１６ｂ；１６ｂ1、１６ｂ2、１６ｂ3）は、互いに異なるワイヤ長、ワイヤ太さ、穿刺深度、積層形態、基部厚みを有することを特徴とする、請求項１乃至１３のいずれか一項に記載の装置。
【請求項１５】
前記フラット針布（１６ｂ；１６ｂ1、１６ｂ2、１６ｂ3）の先端は複数の群に分割されており、各群は繊維区域を形成すべく使用される先端を有することを特徴とする、請求項１乃至１４のいずれか一項に記載の装置。
【請求項１６】
前記群は各々が歯先平面（２３1、２３2）を形成することを特徴とする、請求項１５に記載の装置。
【請求項１７】
前記担体要素（１６ａ）内に設定された前記針布（１６ｂ；１６ｂ1、１６ｂ2、１６ｂ3）は概ねＵ形状に屈曲された単一または複数のワイヤから成り、これらワイヤは、該Ｕ形状のワイヤなどの交差部材が前記担体要素（１６ａ）の後側（１６ａ1）に延在する様に挿入されることを特徴とする、請求項３に記載の装置。
【請求項１８】
前記針布（１６ｂ；１６ｂ1、１６ｂ2、１６ｂ3）は、前記底面（１５ｃ）の領域において前記フラット・バー上に取付けられることを特徴とする、請求項８に記載の装置。
【請求項１９】
３枚の針布ストリップ（織物材料）から成る担体要素（１６ａ）が前記底面（支持本体）における凹所（１５ｅ）内に配置されることを特徴とする、請求項１８に記載の装置。
【請求項２０】
前記凹所（１５ｄ、１５ｅ）はフラット脚部（１５ａ）の長手側部上における少なくとも２枚の側部ウェブ（１５ｈ、１５ｉ）などにより形成されることを特徴とする、請求項１９に記載の装置。
【請求項２１】
針布ストリップ（１６’）が受容され、板金プレート（１６ｃ）が接着剤（１６ｄ）の補償層を介して前記針布ストリップに固定されており、前記板金プレート（１６ｃ）は前記フラット・バーの前記磁石（１５ｆ）に接続されることを特徴とする、請求項１乃至２０のいずれか一項に記載の装置。
【請求項２２】
磁性材料から成る裏材（１６ｃ）が前記フラット針布の後側に配置されることを特徴とする、請求項１乃至２０のいずれか一項に記載の装置。
【請求項２３】
前記裏材（１６ｃ）は鋼鉄バンドまたは板金であることを特徴とする、請求項２２に記載の装置。
【請求項２４】
前記裏材（１６ｃ）は側方に、所定角度で屈曲された延長部またはウェブを有することを特徴とする、請求項２２または２３に記載の装置。
【請求項２５】
前記針布要素（１６）は、前記楔形状の整列を表すマークを有することを特徴とする、請求項１乃至２４のいずれか一項に記載の装置。